(57)【要約】      （修正有）【課題】掘削機バケット、溝掘機などの掘削機器具のリップ上のアダプタノーズに固定されてた掘削機歯を解放可能に取り付けるために、十分に安定した掘削機歯アタッチメントシステムを提供する。【解決手段】掘削機歯１８は、内端壁と、上壁および下壁と、対向する側壁３０とによって画定されたノーズ受けポケット２４を含み、端壁は、歯の縦軸と直交して形成された第１のノーズ係合界面を有し、側壁の少なくとも一方には締結具開口２８が貫通して形成され、上壁および下壁のそれぞれには、互いに略平行な２つの離間したノーズ係合界面が形成するようにした。他の掘削機歯１８は、略平坦なノーズ係合界面が形成された側壁３０を含み、一方の界面は縦軸周りの歯１８の回転に一方向で抵抗し、他方の界面は歯１８の回転に反対方向で抵抗するようにした。【選択図】図２
2015135051.tif 000002
【特許請求の範囲】
【請求項１】
掘削機アダプタのノーズに用いるための掘削機歯であって、
内端壁と、対向する上壁および下壁と、対向する側壁とによって画定されたノーズ受けポケットを備え、
端壁は、歯の縦軸と直交して形成された第１のノーズ係合界面を有し、
側壁の少なくとも一方は、歯の縦軸に対して垂直に貫通して形成された締結具受け開口を有し、
上壁および下壁のそれぞれは、それに形成された第２および第３の離間したノーズ係合界面を有し、第２および第３の界面が互いに略平行である、
掘削機歯。
【請求項２】
端壁は、それに形成された第４および第５のノーズ係合界面を更に有し、第４および第５の界面のそれぞれが歯の縦軸に対して傾けられている、
請求項１に記載の掘削機歯。
【請求項３】
端壁は、それに形成された第６および第７のノーズ係合界面を更に有し、第６および第７の界面のそれぞれが歯の縦軸に対して傾けられ、第４、第５、第６、および、第７の界面のそれぞれは、第１の界面の略長方形状の外周で第１の界面と交差している、
請求項２に記載の掘削機歯。
【請求項４】
第４、第５、第６、および、第７の界面は、縦軸に沿って方向付けられる力に応じて縦軸に対して歯を中心付ける、
請求項３に記載の掘削機歯。
【請求項５】
上壁および下壁のそれぞれは、それに形成された第４および第５のノーズ係合界面を更に有し、第４および第５の界面のそれぞれが歯の縦軸に対して傾けられている、
請求項１に記載の掘削機歯。
【請求項６】
第４および第５の界面は、縦軸と直交して方向付けられる力に応じて縦軸に対して歯を中心付ける、
請求項５に記載の掘削機歯。
【請求項７】
側壁のそれぞれは、それに形成された第４および第５のノーズ係合界面を更に有し、第４および第５の界面のそれぞれが歯の縦軸に対して傾けられている、
請求項１に記載の掘削機歯。
【請求項８】
第４および第５の界面は、縦軸に対して横方向に向けられる力に応じて縦軸に対して歯を中心付ける、
請求項７に記載の掘削機歯。
【請求項９】
側壁の開口が歯の縦軸に対して垂直な横軸を中心とし、縦軸および横軸のそれぞれは、上壁および下壁のそれぞれと交差する直交軸に対して垂直である、
請求項１に記載の掘削機歯。
【請求項１０】
上壁および下壁のそれぞれは、それに形成された第４および第５のノーズ係合平坦界面を更に有し、第４および第５の界面のそれぞれが縦軸、横軸、および、直交軸のそれぞれに対して傾けられている、
請求項９に記載の掘削機歯。
【請求項１１】
側壁のそれぞれは、それに形成された第４および第５のノーズ係合平坦界面を更に有し、第４および第５の界面のそれぞれが縦軸、横軸、および、直交軸のそれぞれに対して傾けられている、
請求項９に記載の掘削機歯。
【請求項１２】
歯の締結具受け開口は、締結具がノーズの締結具受け開口から外されるときに締結ネジと係合するネジ係合部を含んでいる、
請求項１に記載の掘削機歯。
【請求項１３】
掘削機器具のためのアタッチメントシステムにおいて、
ノーズ受けポケットが形成された掘削機歯と、
ポケットに対して相補的に形成された掘削機アダプタのノーズと、
歯をノーズに対して解放可能に固定するネジ付き締結具であって、締結具の本体に対して偏心する螺旋状の締結ネジが形成された、ネジ付き締結具と、を備えた、
アタッチメントシステム。
【請求項１４】
締結ネジが本体から外側へ延び、本体の一側面上の締結ネジが本体の外面に対して接線方向にある、
請求項１３に記載のシステム。
【請求項１５】
ノーズは、それに形成されたネジ付き締結具受け開口を有し、ノーズに形成された少なくとも１つの締結具受けネジが開口に対して偏心している、
請求項１３に記載のシステム。
【請求項１６】
開口がノーズを貫通して横方向に延び、締結具受けネジが開口の両端のそれぞれの周囲に形成され、締結具を開口の両端にねじ込むことができる、
請求項１５に記載のシステム。
【請求項１７】
歯は、ポケットの対向する側壁のそれぞれを貫通して形成された締結具受け開口を有し、締結具が歯をアダプタノーズに固定するときに締結具本体がネジの両側で開口と係合する、
請求項１３に記載のシステム。
【請求項１８】
ノーズは、それに形成された締結具受け開口を有し、ノーズの締結具受け開口が歯の締結具受け開口に対して偏心し、それにより、締結具本体がノーズの締結具受け開口と同軸のときに締結ネジが歯の締結具受け開口と同軸である、
請求項１７に記載のシステム。
【請求項１９】
歯の締結具受け開口のそれぞれは、締結具がノーズの締結具受け開口から外されるときに締結ネジと係合するネジ係合部を含んでいる、
請求項１８に記載のシステム。
【請求項２０】
締結具および歯の両方と係合するロック装置を更に備え、ロック装置が歯に対する締結具の回転を防止する、
請求項１３に記載のシステム。
【請求項２１】
締結具およびノーズの両方と係合するロック装置を更に備え、ロック装置がノーズに対する締結具の回転を防止する、
請求項１３に記載のシステム。
【請求項２２】
締結具が外されることを防止するロック装置を更に備え、ロック装置は、締結具が歯をアダプタノーズに固定するときに弾性的に付勢されるロック部材によって係合される戻り止めを有している、
請求項１３に記載のシステム。
【請求項２３】
ノーズ受けポケットは、内端壁と、対向する上壁および下壁と、対向する側壁とによって画定され、
端壁は、歯の縦軸と直交して形成された第１のノーズ係合界面を有し、
側壁のそれぞれは、歯の縦軸に対して垂直に貫通して形成された締結具受け開口を有し、
上壁および下壁のそれぞれは、それに形成された第２および第３の離間したノーズ係合界面を有し、第２および第３の界面が互いに略平行である、
請求項１３に記載のシステム。
【請求項２４】
ノーズ受けポケットは、内端壁と、対向する上壁および下壁と、対向する側壁とによって画定され、
側壁のそれぞれは、歯の縦軸に対して垂直に貫通して形成された締結具受け開口を有し、
側壁のそれぞれは、それに形成された第１および第２の略平坦なノーズ係合界面を有し、第１の界面は、縦軸周りの歯の回転に第１の方向で抵抗し、第２の界面は、縦軸周りの歯の回転に第１の方向と反対の第２の方向で抵抗する、
請求項１３に記載のシステム。
【請求項２５】
掘削機アダプタのノーズに用いるための掘削機歯であって、
内端壁と、対向する上壁および下壁と、対向する側壁とによって画定されたノーズ受けポケットを備え、
側壁の少なくとも一方は、歯の縦軸に対して垂直に貫通して形成された締結具受け開口を有し、
側壁のそれぞれは、それに形成された第１および第２の略平坦なノーズ係合界面を有し、第１の界面は、縦軸周りの歯の回転に第１の方向で抵抗し、第２の界面は、縦軸周りの歯の回転に第１の方向と反対の第２の方向で抵抗する、
掘削機歯。
【請求項２６】
締結具受け開口のそれぞれが、対応する一方の側壁の第１および第２の界面と交差している、
請求項２５に記載の掘削機歯。
【請求項２７】
第１および第２の界面のそれぞれが縦軸に垂直な歯の横軸に対して傾けられている、
請求項２５に記載の掘削機歯。
【請求項２８】
第１の界面のそれぞれが、対応する一方の側壁の第２の界面と交差している、
請求項２５に記載の掘削機歯。
【請求項２９】
端壁は、歯の縦軸と直交して形成された第３のノーズ係合界面を有し、
上壁および下壁のそれぞれは、それに形成された第４および第５の離間したノーズ係合界面を有し、第４および第５の界面が互いに略平行である、
請求項２５に記載の掘削機歯。
【請求項３０】
歯の締結具受け開口は、締結具がノーズの締結具受け開口から外されるときに締結ネジと係合するネジ係合部を含んでいる、
請求項２５に記載の掘削機歯。
【請求項３１】
掘削機器具のためのアタッチメントシステムにおいて、
ノーズ受けポケットが形成された掘削機歯であって、ポケットの対向する側壁の少なくとも一方を貫通して締結具受け開口が形成された掘削機歯と、
ポケットに対して相補的に形成されるとともに、ネジ付き締結具受け開口が形成された掘削機アダプタのノーズと、
歯をノーズに対して解放可能に固定するネジ付き締結具であって、螺旋状の締結ネジが形成された、ネジ付き締結具と、を備え、
歯の締結具受け開口は、締結具がノーズの締結具受け開口から外されるときに締結ネジと係合するネジ係合部を含んでいる、
アタッチメントシステム。
【請求項３２】
ネジ係合部が歯の締結具受け開口のネジ部を有している、
請求項３１に記載のシステム。
【請求項３３】
ネジ係合部が歯の締結具受け開口の傾斜部を有している、
請求項３１に記載のシステム。
【請求項３４】
ネジ係合部がノーズの締結具受け開口に対して偏心している、
請求項３１に記載のシステム。
【請求項３５】
締結ネジが締結具の本体に対して偏心している、
請求項３１に記載のシステム。
【請求項３６】
締結ネジが本体から外側へ延び、本体の一側面上の締結ネジが本体の外面に対して接線方向にある、
請求項３１に記載のシステム。
【請求項３７】
ノーズに形成された少なくとも１つの締結具受けネジがノーズの締結具受け開口に対して偏心している、
請求項３１に記載のシステム。
【請求項３８】
ノーズの締結具受け開口がノーズを貫通して横方向に延び、締結具受けネジがノーズの締結具受け開口の両端のそれぞれの周囲に形成され、締結具をノーズの締結具受け開口の両端にねじ込むことができる、
請求項３１に記載のシステム。
【請求項３９】
締結具が歯をアダプタノーズに固定するときに締結具本体がネジの両側で歯の締結具受け開口と係合する、
請求項３１に記載のシステム。
【請求項４０】
ノーズの締結具受け開口が歯の締結具受け開口に対して偏心し、締結具本体がノーズの締結具受け開口と同軸のときに締結ネジが歯の締結具受け開口と同軸である、
請求項３１に記載のシステム。
【請求項４１】
締結具および歯の両方と係合するロック装置を更に備え、ロック装置が歯に対する締結具の回転を防止する、
請求項３１に記載のシステム。
【請求項４２】
締結具およびノーズの両方と係合するロック装置を更に備え、ロック装置がノーズに対する締結具の回転を防止する、
請求項３１に記載のシステム。
【請求項４３】
締結具が外されることを防止するロック装置を更に備え、ロック装置は、締結具が歯をアダプタノーズに固定するときに弾性的に付勢されるロック部材によって係合される戻り止めを有している、
請求項３１に記載のシステム。
【請求項４４】
ノーズ受けポケットは、内端壁と、対向する上壁および下壁と、対向する側壁とによって画定され、
端壁は、歯の縦軸と直交して形成された第１のノーズ係合界面を有し、
側壁のそれぞれは、歯の縦軸に対して垂直に貫通して形成された歯の締結具受け開口を有し、
上壁および下壁のそれぞれは、それに形成された第２および第３の離間したノーズ係合界面を有し、第２および第３の界面が互いに略平行である、
請求項３１に記載のシステム。
【請求項４５】
ノーズ受けポケットは、内端壁と、対向する上壁および下壁と、対向する側壁とによって画定され、
側壁のそれぞれは、歯の縦軸に対して垂直に貫通して形成された歯の締結具受け開口を有し、
側壁のそれぞれは、それに形成された第１および第２の略平坦なノーズ係合界面を有し、第１の界面は、縦軸周りの歯の回転に第１の方向で抵抗し、第２の界面は、縦軸周りの歯の回転に第１の方向と反対の第２の方向で抵抗する、
請求項３１に記載のシステム。
【請求項４６】
掘削機アダプタのノーズに用いるための掘削機歯であって、
内端壁と、対向する上壁および下壁と、対向する側壁とによって画定されたノーズ受けポケットを備え、
側壁の少なくとも一方は、歯の縦軸に対して垂直に貫通して形成された締結具受け開口を有し、歯の締結具受け開口は、締結具がノーズの締結具受け開口から外されるときに締結ネジと係合するネジ係合部を含んでいる、
掘削機歯。
【請求項４７】
ネジ係合部が歯の締結具受け開口のネジ部を有している、
請求項４６に記載の掘削機歯。
【請求項４８】
ネジ係合部が歯の締結具受け開口の傾斜部を有している、
請求項４６に記載の掘削機歯。
【請求項４９】
ネジ係合部がノーズの締結具受け開口に対して偏心している、
請求項４６に記載の掘削機歯。
【請求項５０】
側壁のそれぞれは、それに形成された第１および第２の略平坦なノーズ係合界面を有し、第１の界面は、縦軸周りの歯の回転に第１の方向で抵抗し、第２の界面は、縦軸周りの歯の回転に第１の方向と反対の第２の方向で抵抗する、
請求項４６に記載の掘削機歯。
【請求項５１】
締結具受け開口のそれぞれが、対応する一方の側壁の第１および第２の界面と交差している、
請求項５０に記載の掘削機歯。
【請求項５２】
第１および第２の界面のそれぞれが縦軸に垂直な歯の横軸に対して傾けられている、
請求項５０に記載の掘削機歯。
【請求項５３】
第１の界面のそれぞれが、対応する一方の側壁の第２の界面と交差している、
請求項５０に記載の掘削機歯。
【請求項５４】
端壁は、歯の縦軸と直交して形成された第３のノーズ係合界面を有し、
上壁および下壁のそれぞれは、それに形成された第４および第５の離間したノーズ係合界面を有し、第４および第５の界面が互いに略平行である、
請求項５０に記載の掘削機歯。
【発明の詳細な説明】
【技術分野】
【０００１】
この開示は、一般に、掘削にあたって利用される機材および掘削と関連して行なわれる作業に関し、以下で説明する例では、特に、十分に安定した掘削機歯アタッチメントを提供する。
【背景技術】
【０００２】
掘削機バケット、溝掘機などの掘削機器具には、一般に、歯が摩減するときに便利に交換できるように器具に解放可能に固定された１つ以上の歯が設けられている。従来、そのような掘削機歯は、器具のリップ上に位置されたアダプタのノーズに固定されていた。ここでは、歯を解放可能に取り付けるために、様々な形状のピン、楔などが使用されていた。
【０００３】
当初は、アタッチメントピンがハンマー衝撃によって取り付けられたり、取り外されたりしていたが、これが後に危険で不便であると幅広く認識された。そのため、非衝撃的な取り付け方法の開発がなされた。残念ながら、これらの非衝撃的な取り付けシステムの大部分は、過度に複雑で、高価で、使用上不便であり、および／または、掘削作業の厳しい環境に適していない。
【０００４】
アダプタノーズに歯を取り付けるという問題と共に、歯とノーズとの界面での摩耗と関連付けられる問題がある。これらの問題は密接な関係にある。それは、安全でない取り付けが歯とアダプタノーズとの間に過度の摩耗を引き起こす可能性があり、逆もまた同様だからである。
【０００５】
したがって、言うまでもなく、掘削機歯取り付けの技術分野では進展が必要とされる。
そのような進展としては、十分に安定した掘削機歯の提供、および／または、改良されたアタッチメントシステムの提供を挙げることができる。
【発明の概要】
【０００６】
以下の開示では、当該技術分野における少なくとも１つの課題を解決する掘削機歯およびアタッチメントシステムが提供される。以下では、掘削機歯が掘削作業で与えられる力に対して十分に安定化された１つの例が記載されている。以下では、独自のアタッチメントシステムを使用して掘削機歯がアダプタノーズに固定された他の例が記載されている。
【０００７】
一態様において、この開示は、掘削機アダプタのノーズに用いるための掘削機歯を提供する。歯は、内端壁と、対向する上壁および下壁と、対向する側壁とによって画定されたノーズ受けポケットを含んでいる。端壁は、歯の縦軸と直交して形成された第１のノーズ係合界面を有している。側壁の少なくとも一方は、歯の縦軸に対して垂直に貫通して形成された締結具受け開口を有している。上壁および下壁のそれぞれは、それに形成された離間したノーズ係合界面を有しており、界面は互いに略平行になっている。
【０００８】
他の態様において、掘削機歯は、内端壁と、対向する上壁および下壁と、対向する側壁とによって画定されたノーズ受けポケットを含んでいる。側壁の少なくとも一方は、歯の縦軸に対して垂直に貫通して形成された締結具受け開口を有している。側壁のそれぞれは、それに形成された略平坦なノーズ係合界面を有しており、一方の界面は、縦軸周りの歯の回転に一方向で抵抗し、他の界面は、縦軸周りの歯の回転に反対方向で抵抗する。
【０００９】
更なる他の態様では、掘削機器具のためのアタッチメントシステムが提供される。このシステムは、ノーズ受けポケットが形成された掘削機歯と、掘削機アダプタのノーズとを含んでいる。ノーズはポケットに対して相補的に形成されている。ネジ付き締結具が、歯をノーズに対して解放可能に固定するように構成されている。締結具には、締結具の本体に対して偏心する螺旋状の締結ネジが形成されている。
【００１０】
更なる態様において、掘削機器具のためのアタッチメントシステムは、ノーズ受けポケットが形成されるとともに、ポケットの対向する側壁の少なくとも一方を貫通して締結具受け開口が形成された掘削機歯と、ポケットに対して相補的に形成されるとともに、ネジ付き締結具受け開口が形成された掘削機アダプタのノーズと、歯をノーズに対して解放可能に固定するネジ付き締結具とを含んでいる。締結具は、それに形成された螺旋状の締結ネジを有している。歯の締結具受け開口は、締結具がノーズの締結具受け開口から外されるときに締結ネジと係合するネジ係合部を含んでいる。
【００１１】
この開示の更なる他の態様は、掘削機アダプタのノーズに用いるための掘削機歯である。歯は、内端壁と、対向する上壁および下壁と、対向する側壁とによって画定されたノーズ受けポケットを含んでいる。側壁の少なくとも一方は、歯の縦軸に対して垂直に貫通して形成された締結具受け開口を有している。歯の締結具受け開口は、締結具がノーズの締結具受け開口から外されるときに締結ネジと係合するネジ係合部を含んでいる。
【００１２】
これらおよび他の特徴、利点、および、利益は、以下の典型的な例の詳細な説明および添付図面を注意深く考慮することで当業者に明らかになる。種々の図面において、同様の要素には、同じ参照符号が使用されている。
【図面の簡単な説明】
【００１３】
【図１】図１は、本開示の原理を具現化する掘削機器具の斜視図である。
【図２】図２は、それぞれが本開示の原理を具現化し且つ図１の器具で使用されてもよい掘削機歯、アダプタノーズ、および、締結具の平面図である。
【図３】図３は、図２の掘削機歯、アダプタノーズ、および、締結具の側面図である。
【図４】図４は、歯およびアダプタノーズの図８の線４−４に沿う断面図である。
【図５】図５は、歯およびアダプタノーズの図２および図６の線５−５に沿う断面図である。
【図６】図６は、歯およびノーズの図３の線６−６に沿う断面図である。
【図７】図７は、歯の断面図および歯内におけるノーズの平面図である。
【図８】図８は、歯の断面図および歯内におけるノーズの側面図である。
【図９】図９は、ノーズの平面図である。
【図１０】図１０は、ノーズの側面図である。
【図１１】図１１は、ノーズの他の形態の平面図である。
【図１２】図１２は、歯の形態と相補的な形状をなす図１１のノーズ形態の断面図である。
【図１３】図１３は、歯およびアダプタノーズのためのアタッチメントシステムの図である。
【図１４】図１４は、歯およびアダプタノーズのためのアタッチメントシステムの図である。
【図１５】図１５は、歯およびアダプタノーズのためのアタッチメントシステムの図である。
【図１６】図１６は、歯およびアダプタノーズのためのアタッチメントシステムの図である。
【図１７】図１７は、アタッチメントシステムの他の形態の図である。
【図１８】図１８は、アタッチメントシステムの他の形態の図である。
【図１９】図１９は、アタッチメントシステムの他の形態の図である。
【図２０】図２０は、アタッチメントシステムの他の形態の図である。
【図２１】図２１は、アタッチメントシステムの他の形態の図である。
【図２２】図２２は、アタッチメントシステムの更に他の形態の図である。
【図２３】図２３は、アタッチメントシステムの更に他の形態の図である。
【図２４】図２４は、アタッチメントシステムの更に他の形態の図である。
【図２５】図２５は、アタッチメントシステムの更に他の形態の図である。
【図２６】図２６は、アタッチメントシステムの更に他の形態の図である。
【図２７】図２７は、アタッチメントシステムの更なる形態の図である。
【図２８】図２８は、アタッチメントシステムの更なる形態の図である。
【図２９】図２９は、アタッチメントシステムの更なる形態の図である。
【発明を実施するための形態】
【００１４】
図１には、この開示の原理を具現化する掘削機器具１０が典型例として示されている。
器具１０は、材料係合下側リップ１４を有するバケット１２を含むものとして図１に描かれている。離間したアダプタ１６がリップ１４に沿って装着されている。アダプタ１６はリップ１４に沿って掘削機歯１８を装着でき、それにより、器具１０は、材料を掘り返してバケット１２内にすくい取る効率を良くしている。
【００１５】
なお、ここで、図１に描かれる器具１０は、以下で更に十分に記載されるこの開示の原理を組み入れることができる様々な器具の単なる一例である。溝掘機などの他のタイプの器具がこの開示の原理を利用できる。確かに、交換可能な掘削機歯を利用する殆どの掘削機材は、この開示の原理の利益を享受できる。
【００１６】
アダプタ１６および歯１８の複数の形態は、図面に描かれ、図解および例示目的で以下に記述されているので、当業者は、この開示の原理をなして使用する方法およびその利点を理解できる。しかしながら、この開示の原理が本明細書中に記載されるアダプタ１６、歯１８、および、関連する構成要素の特定の形態に何ら限定されないことが明確に理解されるべきである。それどころか、この開示の原理は、様々な掘削機歯、アダプタ、および、アタッチメントシステムの形態に適用できる。
【００１７】
ここで、更に図２を参照すると、アダプタ１６および歯１８の係合部の平面図が典型例として示されている。また、図２は、歯１８をアダプタ１６に対して解放可能に固定するために使用されるアタッチメントシステム２０も描いている。
【００１８】
図２においては、アダプタ１６の“雄”ノーズ２２が歯１８の後端に形成された“雌”ポケット２４内に受け入れられていることが分かる。歯１８をノーズ２２に解放可能に固定するため、歯の対向する側壁３０を貫通して形成された開口２８に締結具２６が差し込まれている。また、締結具２６は、ノーズ２２を横方向に貫通して形成された他の開口３２を貫通して延びている。
【００１９】
これらの構成要素のそれぞれについては、それらの固有の構造および動作から得られる利点と共に、以下で更に十分に説明される。これらの利点としては、アタッチメントシステム２０を使用したアダプタノーズ２２に対する歯１８の安全で、確実で、経済的で、強固で、便利な取り付けと、歯とアダプタノーズとの間の十分に安定化された相補的係合であって、これらの構成要素間の摩耗を有利に減少させる相補的係合と、が挙げられる。
【００２０】
ここで、更に図３を参照すると、アタッチメントシステム２０の側面図が典型例として示されている。この図から分かるように、歯ポケット２４は、上壁３４、下壁３６、端壁３８によって、および、前述した側壁３０によって画定されている。
【００２１】
歯１８およびアダプタノーズ２２は、歯の縦軸４０に沿って位置合わせされている。締結具２６は、横方向に延びる（縦軸４０に対して垂直な）横軸４２と位置合わせされている。他の軸４４が、他の２つの軸４０，４２によって規定される面と直交するとともに、上壁３４および下壁３６と交差している。
【００２２】
なお、図面では、軸４０，４２が水平に向けられるように描かれ、軸４４が垂直に向けられるように描かれているが、歯１８がアダプタノーズ２２に取り付けられるとき、および、器具１０が掘削作業で使用されるときには、軸を任意の方向に向けることができる。
したがって、図面に示される軸４０，４２，４４の方向は、説明、図解、および、例示の単なる便宜のためである。
【００２３】
ここで、更に図４を参照すると、アダプタ１６および歯１８の断面図が典型例として示されている。この図では、アタッチメントシステム２０の幾つかの更なる特徴をより明確に見ることができる。
【００２４】
開口３２は、その両端のそれぞれに設けられた螺旋ネジ４６を有している。なお、ネジ４６は、開口２８，３２と同軸ではなく、それどころか、これらの開口に対して偏心している。好ましくは、ネジ４６は、（以下で更に十分に説明するように）開口３２の一方側に対して接線方向にあり、ネジのそれぞれが開口の他端のネジと接続することなく終端するという点において不連続である。
【００２５】
２つのネジ４６は、締結具２６を開口２８，３２の両端から差し込むことができるようになっている。開口３２におけるネジ４６の終端は、締結具２６が開口内のかなり奥深くまで差し込まれるのを防止する。開口２８，３２に対するネジ４６の偏心位置により、締結具２６の本体が差し込み時に開口と完全に接触でき、それにより、以下で更に十分に説明するように、表面積が増大し、摩耗が減少する。
【００２６】
開口２８は開口３２とも同軸ではない。前述した利点に加えて、開口２８，３２の偏心位置は、以下で更に十分に説明するように、差し込み時に締結具２６と開口との自動的で直観的な位置合わせももたらす。
【００２７】
図４には、（後述するロック装置８２の１つの例において使用される）凹部４８が開口３２およびネジ４６に隣接してノーズ部２２に形成されるように描かれている。締結具２６を歯１８およびアダプタノーズ２２にロックするための様々な装置については以下で更に十分に説明する。
【００２８】
ここで、更に図５を参照すると、歯１８およびアダプタノーズ２２の他の断面図が典型例として示されている。この図から分かるように、歯１８は、端壁３８に形成された平坦な界面５０で主にノーズ２２と当接する。界面５０は、歯１８の縦軸４０に対して垂直に方向付けられ、それにより、縦軸に沿って歯に加えられる力５２に対してかなりの抵抗をもたらす。
【００２９】
また、傾斜した平坦な界面５３が設けられ、この界面は、縦方向の力５２に抵抗することに加えて、歯１８を縦軸４０に対して中心付けて安定させるように作用する。界面５３は、縦軸４０および直交軸４４に対して傾けられていることが好ましいが、歯１８の横軸４２に対しては平行になっている。
【００３０】
ここで、更に図６を参照すると、歯１８およびアダプタノーズ２２の他の断面図が典型例として示されている。この図から分かるように、アタッチメントシステム２０では、歯１８に加えられる様々な他の力に抵抗するため、また、アダプタノーズ２２で歯を安定させるため、更なる傾斜した界面が利用されている。
【００３１】
上壁３４および下壁３６に形成された平坦な界面５４，５６は、軸４４に沿って歯に加えられる力５８に抵抗し、これらの力に応じて歯１８を中心付けてアダプタノーズ２２で安定させるように作用する。側壁３０に形成された平坦な界面６０，６２は、軸４２に沿って歯１８に加えられる力６４に抵抗し、これらの力に応じて歯をアダプタノーズ２２に中心付けて安定させるように作用する。
【００３２】
また、界面５４，６２は、歯に加えられる縦軸４０周りのトルク６６に起因するアダプタノーズ２２周りの歯１８の回転に抵抗するように作用する。同様に、界面５６，６０は、軸４０周りに加えられる逆方向のトルク６８に起因するアダプタノーズ２２周りの歯１８の回転に抵抗するように作用する。
【００３３】
それぞれの界面５４，５６，６０，６２は、アダプタノーズ２２での歯１８の安定化を高めるためにそれぞれの軸４０，４２，４４に対して傾けられていることが好ましい。しかしながら、この開示の原理から逸脱することなく、界面５４，５６，６０，６２を他の方向に向けることができる。また、歯ポケット２４がアダプタノーズ２２に対して略相補的に形成されているため、ノーズには、界面５０，５３，５４，５６，６０，６２および本明細書中に記載された他の界面と同様に形成されて方向付けられる界面が形成されている。
【００３４】
界面６０，６２は組み合わさってポケット２４の凸部を形成し、それにより、側壁３０の横方向の厚さが増大される。これは、以下で更に十分に説明するように、開口２８と締結具２６のそれぞれの端部との間に十分な接触表面積を与えるのに有益である。
【００３５】
ここで、更に図７を参照すると、アダプタノーズ２２上の歯１８の他の断面図が典型例として示されている。この図から分かるように、端壁３８には、界面５０に隣接するとともに界面５０の両側に、更なる平坦な界面７０が形成されている。
【００３６】
界面７０は、縦方向の力５２に抵抗するとともに、その力に応じて歯１８を縦軸４０に対して中心付けて安定させるように作用する。界面７０は、縦軸４０および横軸４２に対して傾けられていることが好ましいが、歯１８の直交軸４４に対しては平行になっている。図面に描かれる例において、界面５３，７０は、これらの面の方向に起因して、その略長方形の外周で界面５０と交差しているが、必要に応じて他の形態が使用されてもよい。
【００３７】
ここで、更に図８を参照すると、アダプタノーズ２２上の歯１８の他の断面図が典型例として示されている。この図から分かるように、上壁３４および下壁３６には、軸４４に沿って歯に加えられる力５８に抵抗する平坦な界面７２，７４が形成されている。
【００３８】
界面７２，７４は、上壁３４および下壁３６のそれぞれに沿って互いから縦方向で離間されていることが好ましく、また、互いに平行であることが好ましい。また、界面７２，７４は、面に対して垂直な方向に互いに対してオフセットされていることが好ましい。必要に応じて、界面７２，７４を互いに対して幾分傾けることができるが、そのような相対的な傾きは最小であることが好ましい。
【００３９】
界面７２，７４は、縦軸４０および直交軸４４に対して幾分傾けられていることが好ましいが、横軸４２に対しては平行になっている。必要に応じて、界面７２，７４を縦軸４０に対して平行にすることができる。
【００４０】
界面７２は、歯に加えられる横軸４２周りのトルク７６に起因するアダプタノーズ２２周りの歯１８の回転に抵抗するように作用する。同様に、界面７４は、軸４２周りに加えられる逆方向のトルク７８に起因するアダプタノーズ２２周りの歯１８の回転に抵抗するように作用する。
【００４１】
ここで、更に図９および図１０を参照すると、アダプタノーズ２２のそれぞれの平面図および側面図が、アタッチメントシステム２０の残りの部分から切り離されて、典型例として示されている。これらの図では、ノーズおよびポケットの界面がどのようにして協働して相補的に成形されるアタッチメントおよび安定化システムを形成するのかを明らかにするため、歯ポケット２４に形成される前述した界面がアダプタノーズ２２に示されている。
【００４２】
ここで、更に図１１および図１２を参照すると、歯１８およびアダプタノーズ２２の他の形態が典型例として示されている。この形態では、上壁３４および下壁３６の界面５４，５６が他の傾斜した平坦な面８０によって分けられている。その他の点では、図１１および図１２の形態は、図２〜１０の形態とほぼ同様であり、ほぼ同じ態様で作用する。これは、この開示の原理を踏まえて様々な形態のアタッチメントシステム２０を利用できることを明らかにする。
【００４３】
ここで、更に図１３〜１６を参照すると、アダプタノーズ２２および歯１８からの締結具２６の不用意な外れを防止するためのロック装置８２の構成要素と共にアタッチメントシステム２０が典型例として示されている。図１３は、組み付けられたアダプタノーズ２２および歯１８に取り付けられたロック装置８２を描いており、図１４および図１５は、特別に構成された締結具２６を描いており、図１６はロック装置のロック部材８４を描いている。
【００４４】
図１４に描かれる締結具２６は細長状の本体８６を有し、この本体の一端近傍に螺旋ネジ８８が形成されている。ネジ８８は本体８６に対して偏心しており、それにより、ネジが本体の一側面に対して接線方向にある。
【００４５】
本体８６は、略円柱形状であるが、アダプタノーズ２２の開口３２からの締結具２６の取り外しを容易にするため幾分先細っていてもよい（例えば、ネジ８８端部からネジが形成されていない端部へ向けて側面で約１°内側に先細状になっている）。本体８６の両端には、（図１３に描かれているように）歯１８の両側の開口２８に接触するための接触面９０が設けられており、本体の中間部には、アダプタノーズ２２の開口３２と接触する接触面９２が設けられている。
【００４６】
締結具２６を差し込むと、本体８６は、歯１８の一方側で開口２８に挿通されて、アダプタノーズ２２の開口３２に挿入される。締結具２６は、ネジ８８が開口２８と位置合わせされるまで回転される。
【００４７】
なお、ネジ８８は、開口２８が開口３２に対して偏心してオフセットされる量と同じ量だけ、締結具２６の本体８６に対して偏心してオフセットされている。ネジ８８は開口２８よりも直径が幾分小さくなっている。したがって、本体８６がアダプタノーズ２２の開口３２内に挿入されると、ネジ８８と開口２８との位置合わせはオペレータが直観的に行なう。
【００４８】
ネジ８８が開口２８に挿入された状態で、ネジ８８は、アダプタノーズ２２の対応する一方のネジ４６との係合の準備のために位置合わせされる。その後、締結具２６が１８０°（または、必要なら、アダプタノーズ２２のネジ４６の深さに応じて、９０°などの他の回転量）回転される。
【００４９】
この時点で、接触面９０が開口２８と係合し、接触面９２が開口３２に係合し、ネジ４６，８８が互いに係合する状態で、歯１８がアダプタノーズ２２に固定される。その後、ロック装置８２を使用して、締結具２６の意図せずに螺合を外されることを防止できる。
【００５０】
なお、アタッチメントシステム２０に締結具を螺合し或いは螺合を外す際に締結具を回転させるための適切な工具の使用のため、締結具２６の一端にソケット９４が設けられている。ロック装置８２は、ロック部材８４を保持するため、ソケットと本体８６の外面との間で横方向に延びるスロット９６と併せて、このソケット９４を利用する。
【００５１】
図１６に描かれるように、ロック部材８４は、該ロック部材の一方側９８において、ソケット９４およびスロット９６に対して相補的に形成されているとともに、反対側から外側に延びる耳たぶ状の突出部１００を有している。突出部１００は開口２８の外側曲率と適合する外側曲率を有しており、それにより、締結具２６が開口３２に適切に螺合されて、ロック部材８４の一方側９８がソケット９４およびスロット９６に挿入されると、突出部が開口２８と協働的に係合し、これにより、締結具の螺合外れを防止する。
【００５２】
ロック部材８４は、適切に耐久性があるエラストマーなどの弾性材料から形成されていることが好ましい。ロック部材端９８および突出部１００は、それぞれのソケット９４および開口２８に締り嵌めできるように寸法付けられ、それにより、締結具２６および歯１８からのロック部材の不用意な外れを防止することが好ましい。
【００５３】
図１３〜１６のロック装置８２では、締結具２６の意図しない螺合外れを防止するために、ロック部材８４が開口２８に係合する。しかしながら、必要に応じて、他のタイプのロック装置を使用できる。
【００５４】
ここで、更に図１７〜２１を参照すると、他の形態のロック装置８２が典型例として示されている。この形態では、締結具の不用意な螺合外れを防止するために、ロック部材８４が、開口３２に隣接してアダプタノーズ２２に形成されたスロット１０２および締結具２６と係合している。
【００５５】
図２０および図２１に描かれるロック部材８４は、締結具がアダプタノーズに適切に螺合された後に締結具２６の位置合わせスロット９６およびアダプタノーズ２２のスロット１０２に挿入される細長状のキー１０４を含んでいる。この目的のため、締結具２６のスロット９６は、図１８および図１９に描かれるように適切に細長状になっている。上述と同様に、ロック部材８４は、弾性材料から形成されていることが好ましく、また、不用意な外れを防止するために締結具２６およびスロット９６，１０２に締り嵌めされることが好ましい。
【００５６】
ここで、更に図２２〜２６を参照すると、他の形態のロック装置８２が典型例として示されている。この形態において、ロック部材８４は、凹部４８と開口３２との間でアダプタノーズ２２に保持される円柱ロッドの形態をなしている（凹部４８は、図４および図８において更に明確に見られる）。
【００５７】
ロック部材８４は、凹部４８内に位置された付勢装置１０６によって開口３２へ向けて弾性的に付勢される。付勢装置１０６は、エラストマー材料から形成されていることが好ましいが、必要に応じて他のタイプの付勢装置（例えばスプリングなど）を使用できる。
【００５８】
図２３に描かれるように、締結具２６のネジ８８には戻り止め１０８が形成されている。締結具２６を回転させて該締結具をアダプタノーズ２２に螺合させると、ネジ８８は、ロック部材８４を凹部４８へ向けて移動させ、それにより、付勢装置１０６を圧縮する。
締結具２６がアダプタノーズ２２に適切に螺合されると、戻り止め１０８がロック部材８４と位置合わせされて、ロック部材８４が付勢装置１０６によって付勢されて戻り止めと係合し、それにより、締結具の不用意な螺合外れを防止する。
【００５９】
このシーケンスが図２４〜２６に描かれている。図２４は、締結具が開口３２に挿入されてネジ８８が開口２８と位置合わせされる際の、締結具をアダプタノーズ２２に螺合する直前における、締結具２６、ロック部材８４、および、付勢装置１０６の配置を描いている。
【００６０】
図２５は、締結具が９０°回転され、それにより、締結具がアダプタノーズ２２に部分的に螺合されるときの、締結具２６、ロック部材８４、および、付勢装置１０６の配置を描いている。なお、ロック部材８４は、（本体８６に対するその偏心位置決めに起因して）ネジ８８により付勢装置１０６へ向けて移動され、それにより、付勢装置を圧縮する。
【００６１】
図２６は、締結具が１８０°回転され、それにより、締結具がアダプタノーズ２２に完全に螺合されるときの、締結具２６、ロック部材８４、および、付勢装置１０６の配置を描いている。なお、このとき、ロック部材８４が戻り止め１０８と係合し、また、そのような係合は付勢装置１０６によって弾性的に維持される。この場合も上述と同様に、締結具２６の螺合外れは付勢装置１０６を圧縮させることを要し、これは、望ましいときに都合良く達成されてもよいが、不用意に起こることは期待されない。
【００６２】
ここで、更に図２７〜２９を参照すると、他の形態のアタッチメントシステム２０が典型例として示されている。アタッチメントシステム２０は、図示を明確にするために締結具２６およびロック装置８２を伴うことなく描かれているが、図２７〜２９のアタッチメントシステムの例は、図２２〜２６に示された前述したタイプのロック装置および締結具を利用するように構成されている。
【００６３】
図２７〜２９の形態は、少なくとも１つの特筆すべき態様で、図２７〜２９の形態の側壁３０の開口２８にネジ係合部１１０が形成されているという点が図２２〜２６の形態と異なっている。図面では、ネジ係合部１１０が開口２８の内周にわたって部分的にのみ延びる部分的なネジまたは螺旋斜面として描かれている。しかしながら、必要に応じて、他のタイプのネジ係合構造が使用されてもよい。
【００６４】
ネジ係合部１１０は、締結具がノーズ２２の開口３２から螺合を外されるときに締結具２６のネジ８８と係合するように作用する。ネジ８８はネジ係合部１１０のうちの一方と係合し、また、（図面に描かれるように）締結具が反時計回りに回転されると、ネジ係合部のネジ形態または斜面形態により、締結具２６が開口３２から引き出され続ける。これは、開口２８，３０からの締結具２６の更に便利な取り外しをもたらす。
【００６５】
なお、ネジ係合部１１０はノーズ２２の開口３２に対して偏心している。また、図面に描かれるように、ネジ係合部１１０は側壁３０のそれぞれの各開口２８に形成されているが、この開示の原理は、側壁３０のうちの一方を貫通して形成された１つの開口２８だけを用いて実施することができる。その場合、１つのネジ係合部１１０だけが使用されてもよい。
【００６６】
ここで、十分に理解されるように、前述したアタッチメントシステム２０、掘削機歯１８、および、アダプタノーズ２２は、掘削機歯の取り付け、固定、および、取り外しの技術に対して数々の進展を与える。歯１８は、任意の方向から加えられる力５２，５８，６４およびトルク６６，６８，７６，７８が有効に抵抗され、歯がその縦軸４０、横軸４２、および、直交軸４４に対して中心付けられるという点において十分に安定化される。締結具２６およびロック装置８２は、望ましくは簡単で、安全で、効率的で、便利で、信頼できる態様で、アダプタノーズ２２に対して歯１８を解放可能に固定する。
【００６７】
上述の開示は、掘削機アダプタ１６のノーズ２２に使用するための掘削機歯１８について述べており、歯１８は、内端壁３８と、対向する上壁３４および下壁３６と、対向する側壁３０とによって画定されたノーズ受けポケット２４を含んでいる。端壁３８は、歯１８の縦軸４０と直交して形成された第１のノーズ係合界面５０を有している。側壁３０の少なくとも一方は、歯の縦軸４０に対して垂直に貫通して形成された締結具受け開口２８を有している。上壁３４および下壁３６のそれぞれは、それに形成された第２および第３の離間したノーズ係合界面７２，７４を有しており、第２および第３の界面７２，７４は互いに略平行になっている。
【００６８】
端壁３８は、それに形成された第４および第５のノーズ係合界面５３を含んでいてもよく、この場合、第４および第５の界面５３のそれぞれは歯の縦軸４０に対して傾けられている。端壁３８は、それに形成された第６および第７のノーズ係合界面７０を含んでいてもよく、この場合、第６および第７の界面７０のそれぞれは歯の縦軸４０に対して傾けられている。
【００６９】
第４、第５、第６、および、第７の界面５３，７０のそれぞれは、第１の界面５０の略長方形状の外周で第１の界面５０と交差してもよい。第４、第５、第６、および、第７の界面５３，７０は、縦軸４０に沿って方向付けられる力５２に応じて縦軸４０に対して歯１８を中心付けることが好ましい。
【００７０】
上壁３４および下壁３６のそれぞれは、それに形成された第４および第５のノーズ係合界面５４，５６を含んでいてもよく、この場合、第４および第５の界面５４，５６のそれぞれは歯の縦軸４０に対して傾けられている。第４および第５の界面５４，５６は、縦軸４０に直交して方向付けられる力５８に応じて縦軸４０に対して歯１８を中心付けることが好ましい。
【００７１】
側壁３０のそれぞれは、それに形成された第４および第５のノーズ係合界面６０，６２を含んでいてもよく、この場合、第４および第５の界面６０，６２のそれぞれは歯の縦軸４０に対して傾けられている。第４および第５の界面６０，６２は、縦軸４０に対して横方向に向けられる力６４に応じて縦軸４０に対して歯１８を中心付けることが好ましい。
【００７２】
側壁３０の開口２８は、歯の縦軸４０に対して垂直な横軸４２を中心としていてもよい。縦軸４０および横軸４２のそれぞれは、上壁３４および下壁３６のそれぞれと交差する直交軸４４に対して垂直になっている。
【００７３】
上壁３４および下壁３６のそれぞれは、それに形成された第４および第５のノーズ係合平坦界面５４，５６を含んでいてもよい。この場合、第４および第５の界面５４，５６のそれぞれは、縦軸４０、横軸４２、および、直交軸４４のそれぞれに対して傾けられていてもよい。
【００７４】
側壁３０のそれぞれは、それに形成された第４および第５のノーズ係合平坦界面６０，６２を含んでいてもよい。この場合、第４および第５の界面６０，６２のそれぞれは、縦軸４０、横軸４２、および、直交軸４４のそれぞれに対して傾けられていてもよい。
【００７５】
上述の開示は、掘削機器具１０のためのアタッチメントシステム２０についても述べている。システム２０は、それに形成されたノーズ受けポケット２４を有する掘削機歯１８と、掘削機アダプタ１６のノーズ２２とを含んでおり、ノーズ２２はポケット２４に対して相補的に形成されている。ネジ付き締結具２６は、ノーズ２２に対して歯１８を解放可能に固定するように構成されている。締結具２６は、該締結具２６の本体８６に対して偏心するように形成された螺旋状の締結ネジ８８を有している。
【００７６】
締結ネジ８８は本体８６から外側に延びていてもよい。本体８６の一側面上の締結ネジ８８は、本体８６の外面９０，９２に対して接線方向にあってもよい。
【００７７】
ノーズ２２は、それに形成されたネジ付き締結具受け開口３２を有していてもよい。少なくとも１つの締結具受けネジ４６がノーズ２２に形成されていてもよく、また、ネジ４６が開口３２に対して偏心していてもよい。
【００７８】
開口３２はノーズ２２を横方向に貫通して延びていてもよい。締結具２６を開口３２の両端にねじ込むことができるように、締結具受けネジ４６が開口３２の両端のそれぞれの周囲に形成されていてもよい。
【００７９】
歯１８は、ポケット２４の対向する側壁３０のそれぞれを貫通して形成された締結具受け開口２８を有していてもよい。締結具本体８６は、締結具２６がアダプタノーズ２２に対して歯１８を固定するときにネジ８８の両側で開口２８と係合していてもよい。
【００８０】
ノーズ２２は、それに形成された締結具受け開口３２を有していてもよく、この場合、ノーズの締結具受け開口３２は歯の締結具受け開口２８に対して偏心されている。このようにして、締結具本体８６がノーズの締結具受け開口３２と同軸であるときに、締結ネジ８８が歯の締結具受け開口２８と同軸であってもよい。
【００８１】
システム２０は、締結具２６および歯１８の両方と係合するロック装置８２を含んでいてもよく、それにより、ロック装置８２は、歯１８に対する締結具２６の回転を防止する。
【００８２】
システム２０は、締結具２６およびノーズ２２の両方と係合するロック装置８２を含んでいてもよく、それにより、ロック装置８２は、ノーズ２２に対する締結具２６の回転を防止する。
【００８３】
システム２０は、締結具２６が外されることを防止するロック装置８２を含んでいてもよく、その場合、ロック装置８２は、締結具２６がアダプタノーズ２２に対して歯１８を固定するときに弾性的に付勢されるロック部材８４によって係合される戻り止め１０８を有している。
【００８４】
また、掘削機アダプタ１６のノーズ２２に使用するための掘削機歯１８についても上述の開示によって述べられており、この場合、歯１８は、内端壁３８と、対向する上壁３４および下壁３６と、対向する側壁３０とによって画定されたノーズ受けポケット２４を含んでいる。側壁３０の少なくとも一方は、歯の縦軸４０に対して垂直に貫通して形成された締結具受け開口２８を有している。側壁３０のそれぞれは、それに形成された第１および第２の略平坦なノーズ係合界面６０，６２を有している。第１の界面６０は、縦軸４０周りの歯１８の回転に第１の方向で抵抗し、また、第２の界面６２は、縦軸４０周りの歯１８の回転に第１の方向と反対の第２の方向で抵抗する。
【００８５】
締結具受け開口２８のそれぞれは、対応する一方の側壁３０の第１および第２の界面６０，６２と交差していてもよい。
【００８６】
第１および第２の界面６０，６２のそれぞれは、縦軸４０に対して垂直な歯１８の横軸４２に対して傾けられていてもよい。
【００８７】
第１の界面６０のそれぞれは、対応する一方の側壁３０の第２の界面６２と交差していてもよい。
【００８８】
端壁３８は、歯の縦軸４０と直交して形成された第３のノーズ係合界面５０を有していてもよい。上壁３４および下壁３６のそれぞれは、それに形成された第４および第５の離間したノーズ係合界面７２，７４を有していてもよく、この場合、第４および第５の界面７２，７４は互いに略平行になっている。
【００８９】
上述の開示は、ノーズ受けポケット２４が形成され且つ締結具受け開口２８がポケット２４の対向する側壁３０のうちの少なくとも一方を貫通して形成された掘削機歯１８を含む掘削機器具１０のためのアタッチメントシステム２０についても述べている。掘削機アダプタ１６のノーズ２２はポケット２４に対して相補的に形成され、また、ノーズ２２は、それに形成されたネジ付き締結具受け開口３２を有している。ネジ付き締結具２６はノーズ２２に対して歯１８を解放可能に固定し、この場合、締結具２６は、それに形成された螺旋状の締結ネジ８８を有している。歯の締結具受け開口２８は、締結具２６がノーズの締結具受け開口３２から外されるときに締結ネジ８８と係合するネジ係合部１１０を含んでいる。
【００９０】
ネジ係合部１１０は、歯の締結具受け開口２８のネジ部および／または傾斜部を有していてもよい。ネジ係合部１１０は、ノーズの締結具受け開口３２に対して偏心していてもよい。
【００９１】
また、掘削機アダプタ１６のノーズ２２に用いるための掘削機歯１８も上述の開示によって与えられる。歯１８は、内端壁３８と、対向する上壁３４および下壁３６と、対向する側壁３０とによって画定されたノーズ受けポケット２４を含んでいる。側壁３０の少なくとも一方は、歯１８の縦軸４０に対して垂直に貫通して形成された締結具受け開口２８を有している。歯の締結具受け開口２８は、締結具２６がノーズの締結具受け開口３２から外されるときに締結ネジ８８と係合するネジ係合部１１０を有している。
【００９２】
言うまでもなく、前述した様々な例は、本開示の原理から逸脱することなく、傾斜、反転、水平、垂直などの様々な方向でおよび様々な形態で利用されてもよい。図面に示される実施形態は、これらの実施形態の特定の内容に限定されない本開示の原理の有用な適用の単なる一例として描かれて説明されている。
【００９３】
無論、当業者は、典型的な実施形態の上述の説明を注意深く考慮すると、多くの改良、付加、置換、削除、および、他の変更がこれらの特定の実施形態に対してなされてもよく、また、そのような変更が本開示の原理の範囲内に入ることを容易に理解する。したがって、前述した詳細な説明は、単なる図解および例示として与えられていると明確に理解されるべきであり、本発明の思想および範囲は、添付の請求項およびそれらの等価物によってのみ限定される。
【図１】
2015135051.tif 000003
【図２】
2015135051.tif 000004
【図３】
2015135051.tif 000005
【図４】
2015135051.tif 000006
【図５】
2015135051.tif 000007
【図６】
2015135051.tif 000008
【図７】
2015135051.tif 000009
【図８】
2015135051.tif 000010
【図９】
2015135051.tif 000011
【図１０】
2015135051.tif 000012
【図１１】
2015135051.tif 000013
【図１２】
2015135051.tif 000014
【図１３】
2015135051.tif 000015
【図１４】
2015135051.tif 000016
【図１５】
2015135051.tif 000017
【図１６】
2015135051.tif 000018
【図１７】
2015135051.tif 000019
【図１８】
2015135051.tif 000020
【図１９】
2015135051.tif 000021
【図２０】
2015135051.tif 000022
【図２１】
2015135051.tif 000023
【図２２】
2015135051.tif 000024
【図２３】
2015135051.tif 000025
【図２４】
2015135051.tif 000026
【図２５】
2015135051.tif 000027
【図２６】
2015135051.tif 000028
【図２７】
2015135051.tif 000029
【図２８】
2015135051.tif 000030
【図２９】
2015135051.tif 000031
【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
掘削機器具のためのアタッチメントシステムにおいて、
ノーズ受けポケットが形成された掘削機歯と、
ポケットに対して相補的に形成された掘削機アダプタのノーズと、
歯をノーズに対して解放可能に固定するネジ付き締結具であって、締結具の本体に対して偏心する螺旋状の締結ネジが形成された、ネジ付き締結具と、を備えた、
アタッチメントシステム。
【請求項２】
締結ネジが本体から外側へ延び、本体の一側面上の締結ネジが本体の外面に対して接線方向にある、
請求項１に記載のシステム。
【請求項３】
ノーズは、それに形成されたネジ付き締結具受け開口を有し、ノーズに形成された少なくとも１つの締結具受けネジが開口に対して偏心している、
請求項１に記載のシステム。
【請求項４】
開口がノーズを貫通して横方向に延び、締結具受けネジが開口の両端のそれぞれの周囲に形成され、締結具を開口の両端にねじ込むことができる、
請求項３に記載のシステム。
【請求項５】
歯は、ポケットの対向する側壁のそれぞれを貫通して形成された締結具受け開口を有し、締結具が歯をアダプタノーズに固定するときに締結具本体がネジの両側で開口と係合する、
請求項１に記載のシステム。
【請求項６】
ノーズは、それに形成された締結具受け開口を有し、ノーズの締結具受け開口が歯の締結具受け開口に対して偏心し、それにより、締結具本体がノーズの締結具受け開口と同軸のときに締結ネジが歯の締結具受け開口と同軸である、
請求項５に記載のシステム。
【請求項７】
歯の締結具受け開口のそれぞれは、締結具がノーズの締結具受け開口から外されるときに締結ネジと係合するネジ係合部を含んでいる、
請求項６に記載のシステム。
【請求項８】
締結具および歯の両方と係合するロック装置を更に備え、ロック装置が歯に対する締結具の回転を防止する、
請求項１に記載のシステム。
【請求項９】
締結具およびノーズの両方と係合するロック装置を更に備え、ロック装置がノーズに対する締結具の回転を防止する、
請求項１に記載のシステム。
【請求項１０】
締結具が外されることを防止するロック装置を更に備え、ロック装置は、締結具が歯をアダプタノーズに固定するときに弾性的に付勢されるロック部材によって係合される戻り止めを有している、
請求項１に記載のシステム。
【請求項１１】
ノーズ受けポケットは、内端壁と、対向する上壁および下壁と、対向する側壁とによって画定され、
端壁は、歯の縦軸と直交して形成された第１のノーズ係合界面を有し、
側壁のそれぞれは、歯の縦軸に対して垂直に貫通して形成された締結具受け開口を有し、
上壁および下壁のそれぞれは、それに形成された第２および第３の離間したノーズ係合界面を有し、第２および第３の界面が互いに略平行である、
請求項１に記載のシステム。
【請求項１２】
ノーズ受けポケットは、内端壁と、対向する上壁および下壁と、対向する側壁とによって画定され、
側壁のそれぞれは、歯の縦軸に対して垂直に貫通して形成された締結具受け開口を有し、
側壁のそれぞれは、それに形成された第１および第２の略平坦なノーズ係合界面を有し、第１の界面は、縦軸周りの歯の回転に第１の方向で抵抗し、第２の界面は、縦軸周りの歯の回転に第１の方向と反対の第２の方向で抵抗する、
請求項１に記載のシステム。
【請求項１３】
掘削機アダプタのノーズに用いるための掘削機歯であって、
内端壁と、対向する上壁および下壁と、対向する側壁とによって画定されたノーズ受けポケットを備え、
側壁の少なくとも一方は、歯の縦軸に対して垂直に貫通して形成された締結具受け開口を有し、
側壁のそれぞれは、それに形成された第１および第２の略平坦なノーズ係合界面を有し、第１の界面は、縦軸周りの歯の回転に第１の方向で抵抗し、第２の界面は、縦軸周りの歯の回転に第１の方向と反対の第２の方向で抵抗する、
掘削機歯。
【請求項１４】
締結具受け開口のそれぞれが、対応する一方の側壁の第１および第２の界面と交差している、
請求項１３に記載の掘削機歯。
【請求項１５】
第１および第２の界面のそれぞれが縦軸に垂直な歯の横軸に対して傾けられている、
請求項１３に記載の掘削機歯。
【請求項１６】
第１の界面のそれぞれが、対応する一方の側壁の第２の界面と交差している、
請求項１３に記載の掘削機歯。
【請求項１７】
端壁は、歯の縦軸と直交して形成された第３のノーズ係合界面を有し、
上壁および下壁のそれぞれは、それに形成された第４および第５の離間したノーズ係合界面を有し、第４および第５の界面が互いに略平行である、
請求項１３に記載の掘削機歯。
【請求項１８】
歯の締結具受け開口は、締結具がノーズの締結具受け開口から外されるときに締結ネジと係合するネジ係合部を含んでいる、
請求項１３に記載の掘削機歯。
【請求項１９】
掘削機器具のためのアタッチメントシステムにおいて、
ノーズ受けポケットが形成された掘削機歯であって、ポケットの対向する側壁の少なくとも一方を貫通して締結具受け開口が形成された掘削機歯と、
ポケットに対して相補的に形成されるとともに、ネジ付き締結具受け開口が形成された掘削機アダプタのノーズと、
歯をノーズに対して解放可能に固定するネジ付き締結具であって、螺旋状の締結ネジが形成された、ネジ付き締結具と、を備え、
歯の締結具受け開口は、締結具がノーズの締結具受け開口から外されるときに締結ネジと係合するネジ係合部を含んでいる、
アタッチメントシステム。
【請求項２０】
ネジ係合部が歯の締結具受け開口のネジ部を有している、
請求項１９に記載のシステム。
【請求項２１】
ネジ係合部が歯の締結具受け開口の傾斜部を有している、
請求項１９に記載のシステム。
【請求項２２】
ネジ係合部がノーズの締結具受け開口に対して偏心している、
請求項１９に記載のシステム。
【請求項２３】
締結ネジが締結具の本体に対して偏心している、
請求項１９に記載のシステム。
【請求項２４】
締結ネジが本体から外側へ延び、本体の一側面上の締結ネジが本体の外面に対して接線方向にある、
請求項１９に記載のシステム。
【請求項２５】
ノーズに形成された少なくとも１つの締結具受けネジがノーズの締結具受け開口に対して偏心している、
請求項１９に記載のシステム。
【請求項２６】
ノーズの締結具受け開口がノーズを貫通して横方向に延び、締結具受けネジがノーズの締結具受け開口の両端のそれぞれの周囲に形成され、締結具をノーズの締結具受け開口の両端にねじ込むことができる、
請求項１９に記載のシステム。
【請求項２７】
締結具が歯をアダプタノーズに固定するときに締結具本体がネジの両側で歯の締結具受け開口と係合する、
請求項１９に記載のシステム。
【請求項２８】
ノーズの締結具受け開口が歯の締結具受け開口に対して偏心し、締結具本体がノーズの締結具受け開口と同軸のときに締結ネジが歯の締結具受け開口と同軸である、
請求項１９に記載のシステム。
【請求項２９】
締結具および歯の両方と係合するロック装置を更に備え、ロック装置が歯に対する締結具の回転を防止する、
請求項１９に記載のシステム。
【請求項３０】
締結具およびノーズの両方と係合するロック装置を更に備え、ロック装置がノーズに対する締結具の回転を防止する、
請求項１９に記載のシステム。
【請求項３１】
締結具が外されることを防止するロック装置を更に備え、ロック装置は、締結具が歯をアダプタノーズに固定するときに弾性的に付勢されるロック部材によって係合される戻り止めを有している、
請求項１９に記載のシステム。
【請求項３２】
ノーズ受けポケットは、内端壁と、対向する上壁および下壁と、対向する側壁とによって画定され、
端壁は、歯の縦軸と直交して形成された第１のノーズ係合界面を有し、
側壁のそれぞれは、歯の縦軸に対して垂直に貫通して形成された歯の締結具受け開口を有し、
上壁および下壁のそれぞれは、それに形成された第２および第３の離間したノーズ係合界面を有し、第２および第３の界面が互いに略平行である、
請求項１９に記載のシステム。
【請求項３３】
ノーズ受けポケットは、内端壁と、対向する上壁および下壁と、対向する側壁とによって画定され、
側壁のそれぞれは、歯の縦軸に対して垂直に貫通して形成された歯の締結具受け開口を有し、
側壁のそれぞれは、それに形成された第１および第２の略平坦なノーズ係合界面を有し、第１の界面は、縦軸周りの歯の回転に第１の方向で抵抗し、第２の界面は、縦軸周りの歯の回転に第１の方向と反対の第２の方向で抵抗する、
請求項１９に記載のシステム。
【請求項３４】
掘削機アダプタのノーズに用いるための掘削機歯であって、
内端壁と、対向する上壁および下壁と、対向する側壁とによって画定されたノーズ受けポケットを備え、
側壁の少なくとも一方は、歯の縦軸に対して垂直に貫通して形成された締結具受け開口を有し、歯の締結具受け開口は、締結具がノーズの締結具受け開口から外されるときに締結ネジと係合するネジ係合部を含んでいる、
掘削機歯。
【請求項３５】
ネジ係合部が歯の締結具受け開口のネジ部を有している、
請求項３４に記載の掘削機歯。
【請求項３６】
ネジ係合部が歯の締結具受け開口の傾斜部を有している、
請求項３４に記載の掘削機歯。
【請求項３７】
ネジ係合部がノーズの締結具受け開口に対して偏心している、
請求項３４に記載の掘削機歯。
【請求項３８】
側壁のそれぞれは、それに形成された第１および第２の略平坦なノーズ係合界面を有し、第１の界面は、縦軸周りの歯の回転に第１の方向で抵抗し、第２の界面は、縦軸周りの歯の回転に第１の方向と反対の第２の方向で抵抗する、
請求項３４に記載の掘削機歯。
【請求項３９】
締結具受け開口のそれぞれが、対応する一方の側壁の第１および第２の界面と交差している、
請求項３８に記載の掘削機歯。
【請求項４０】
第１および第２の界面のそれぞれが縦軸に垂直な歯の横軸に対して傾けられている、
請求項３８に記載の掘削機歯。
【請求項４１】
第１の界面のそれぞれが、対応する一方の側壁の第２の界面と交差している、
請求項３８に記載の掘削機歯。
【請求項４２】
端壁は、歯の縦軸と直交して形成された第３のノーズ係合界面を有し、
上壁および下壁のそれぞれは、それに形成された第４および第５の離間したノーズ係合界面を有し、第４および第５の界面が互いに略平行である、
請求項３８に記載の掘削機歯。
【外国語明細書】
2015135051000001.pdf